(57)【特許請求の範囲】
【請求項１】
流し台又は洗面化粧台天板前部の裏面に、天板厚みを利用し開口部を下向きにして内蔵したＣ型レールに、移動台を挿入し、移動台に取り付けた昇降姿勢補助具の丁番を介して、上方への回転を可能として保持した昇降姿勢補助具を天板上方に上げることによって、流し台又は洗面化粧台天板より高位置に身体を支える支持部を設けることができることを特徴とした移動台付き昇降姿勢補助具。
【請求項２】
昇降姿勢補助具には昇降部材が設置されており、昇降部材を上昇させることで、より高い任意の位置に身体を支える支持部を移すことができることを特徴とする請求項１記載の移動台付き昇降姿勢補助具。
【請求項３】
Ｃ型レールに挿入された、移動台付き昇降姿勢補助具は、流し台又は洗面化粧台前扉または引き出し上端と天板下端の間隙をぬって左右に移動することで、流し台又は洗面化粧台の前部任意の位置で、流し台又は洗面化粧台天板より高位置で身体を支える支持部を設けることができることを特徴とする請求項１又は２記載の移動台付き昇降姿勢補助具。
【請求項４】
身体に接触し支える昇降姿勢補助具の幅は、作業に支障のないように身体腹部の幅以内とすることを特徴とする請求項１、２又は３記載の移動台付き昇降姿勢補助具。
【請求項５】
流し台又は洗面化粧台天板前部の下方で水槽の前方に生じるデッドスペースを昇降姿勢補助具の収納場所としたことを特徴とする請求項１、２、３又は４記載の移動台付き昇降姿勢補助具。
【請求項６】
移動台付き昇降姿勢補助具は使用時以外でも立ち上がったままの状態が保持できる転倒防止装置が設置されていることを特徴とする請求項１、２、３、４又は５記載の移動台付き昇降姿勢補助具。
【請求項７】
流し台又は洗面化粧台天板前部の天板厚みを利用して開口部を下向きにしたＣ型レールを内蔵するためのＣ型レール内蔵縁部材と、上下に分離することにより厚さを調整してＣ型レール内蔵縁部材を流し台又は洗面化粧台天板前部に取り付けることができる可変固定部材とを有し、Ｃ型レール内蔵縁部材に移動台を挿入し、移動台に取り付けた昇降姿勢補助具の丁番を介して上方への回転を可能として保持した昇降姿勢補助具を天板上方に上げることによって、流し台又は洗面化粧台天板より高位置に身体を支える支持部を設けたことを特徴とする移動台付き昇降姿勢補助具。
【請求項８】
流し台又は洗面化粧台天板前部の裏面に、天板厚みを利用し開口部を下向きにして内蔵したＣ型レールに、移動台を挿入し、移動台に取り付けた水平スライド部材を介して、昇降姿勢補助具を手前に引き出し、昇降姿勢補助具を天板上方へ引き上げることで、流し台又は洗面化粧台天板より高位置に身体を支える支持部を設けることができることを特徴とする移動台付き昇降姿勢補助具。
【請求項９】
流し台又は洗面化粧台天板前部の天板厚みを利用して開口部を下向きにしたＣ型レールを内蔵するためのＣ型レール内蔵縁部材と、上下に分離することにより厚さを調整してＣ型レール内蔵縁部材を流し台又は洗面化粧台天板前部に取り付けることができる可変固定部材とを有し、Ｃ型レール内蔵縁部材に移動台を挿入し、移動台に取り付けた持ち出し腕部材を介して、昇降姿勢補助具を天板上方へ引き上げることで、流し台又は洗面化粧台天板より高位置に身体を支える支持部を設けることができることを特徴とする移動台付き昇降姿勢補助具。
【発明の詳細な説明】
【技術分野】
【０００１】
本発明は、新規、既設の流し台、洗面化粧台の構造に関するものであり、流し台、洗面化粧台を使用する際の身体を昇降姿勢補助具によって流し台、洗面化粧台天板より高い位置で支え、移動台付き昇降姿勢補助具を流し台、洗面化粧台前部の任意の位置で停止させて使用し、足腰にかかる負担を軽減できる流し台、洗面化粧台を、また既設の流し台、洗面化粧台にパーツとして取り付けることができる移動台付き昇降姿勢補助具を提供するものである。
【背景技術】
【０００２】
生活水準の向上と科学技術の進展に伴って、住環境の整備のために、機能性、利便性を十分に検討し、質的にも進歩した設備が提供されるようになった。のみならず、外観、配置などのデザインにも配慮が行き届いた設備が考案され、使用者は自分の要求や好みに応じたものを選択できるようになった。また、食文化への注目が集まると共に、住環境の重要な要素である台所についても、調理、洗浄、収納をより効率的に行うために、システムキッチンを含め台所の構造そのものや台所用品に新たな創造、改善がなされてきた。流し台の場合は水槽の構造、調理流し台となる天板の素材や形状、浄水器、生ゴミ処理装置などの組み込みにも新たな工夫がなされた。
【０００３】
さらに、健康への関心の増加や社会福祉の観点から老人や病人、身体障害者など身体的弱者に対する使い易さ、安全性、快適さ、清潔さについて配慮がなされたシステムキッチン、台所用品が製品化され、提供されている。また洗面台は従来の洗顔、歯を磨く作業から、洗髪、化粧をする等々…使用時間も長くなり名称も洗面化粧台にかわり、くつろぎの場所へと変貌している。
【０００４】
このように整備されることとなった結果、流し台、洗面化粧台においても、調理、洗浄、洗顔、洗髪をする際、足腰やその他の身体の部分にかかる負担を軽減するためにさまざまな工夫や改良がなされてきた。使用者は流し台、洗面化粧台を使用する際、一般に前屈姿勢をとることにより流し台、洗面化粧台天板前部付近に接触し、特に意識することなく凭れ掛かる姿勢をとることによって負担を和らげる傾向にある。
【０００５】
このことに鑑み、例えば特許文献１発明や特許文献２発明のように流し台前面に水平な棒状のものを取り付けたり、特許文献３発明のように流し台前面に幕板を取付けたりすることにより身体を凭れ掛けさせる部分を改良して、使用者の立ち姿勢保持を効果的にし、足腰にかかる負担を軽減するものが考案されている。しかし使い良さや外観上の観点から充分とは言えない。また特許文献４発明や特許文献５のように流し台を上下させる装置を設置して、身体を支える位置を変化させ負担の軽減を図るものもあるが装置の複雑さや使用する際の簡便性に欠ける傾向がある。
【０００６】
【特許文献１】特開平７−２３８２５号公報
【特許文献２】特開平８−３３５３１号公報
【特許文献３】特開２００２−１８６５３０号公報
【特許文献４】特開平１０−２６２７５３号公報
【特許文献５】実開平５−５１１３９号公報
【非特許文献１】キッチン作業のための姿勢補助具の研究報告（松下電工（株）新建築研究所、千葉工業大学上野研究室）
【発明の開示】
【発明が解決しようとする課題】
【０００７】
本発明は、上記の問題点を解決するためのものであって流し台、洗面化粧台天板の高さで身体を支える従来のものより、より高い位置で身体を支持し負担の軽減を可能にする装置を設置し、さらに前述の装置を左右に移動することにより、使用者が必要とする任意の位置にこの装置を簡便に移動し停止させることができる流し台、洗面化粧台を、また既設流し台、洗面化粧台にはパーツとして簡単に取り付けることができる移動台付き昇降姿勢補助具を提供するものである。尚、台所での作業については、非特許文献１に身体の支持位置最適高を示す数式１が記載されている。Ｈ２＝０．７１×Ｘ＋１６．８８…数式１（Ｈ２は支持位置最適高、Ｘは身長、単位はｃｍ）上記数式１によりＨ２の値を求め、求めた支持位置最適高に身体の支持位置を設定できれば効果が十分に得られる。
【０００８】
例えば、使用者の身長を１６０ｃｍと仮定すると、数式１の身長を表すＸに１６０を代入し、支持位置最適高Ｈ２が１３０．４８ｃｍと算出される。しかし、前述例の算出値を参考にすると、一般に市販されている流し台では８０〜９０ｃｍ、洗面化粧台では７２ｃｍであり支持位置最適高が得難いのが実情である。
【課題を解決するための手段】
【０００９】
本発明では、新規流し台、洗面化粧台天板３前部の裏面に、天板厚みを利用してＣ型レール１の開口部を下向きに設置し、流し台洗面化粧台を使用する際の姿勢補助具として、Ｃ型レール１を介して移動する移動台５付き昇降姿勢補助具２を設置する。昇降姿勢補助具２の設置によって前述の支持位置最適高に近い値を得て、身体への負担の軽減を図り、さらに使用者が必要とする任意の位置で使用でき、取り扱いも簡便であるようにしたものである。
【００１０】
また既設流し台、洗面化粧台天板３前部は、厚さの違う天板、硬軟な下地材等異なる形状を有するので、どのよう天板にも取り付け可能である可変固定部材２７、Ｃ型レール１内蔵縁部材２６、移動台５付き昇降姿勢補助具２を組み合わせたパーツを、既設流し台洗面化粧台天板３前部に取り付けることができるようにしたものである。
【００１１】
請求項１の流し台又は洗面化粧台は、流し台又は洗面化粧台天板３前部の裏面に、天板厚みを利用し開口部を下向きにして内蔵したＣ型レール１を設置し、Ｃ型レール１を介して左右に移動する移動台５に、一体化された昇降姿勢補助具２の丁番６を介して、上方への回転を可能として保持した昇降姿勢補助具２を天板上方に上げることで流し台又は洗面化粧台天板３より高位置に、身体を支える支持部を設けることを特徴とする。
【００１２】
請求項２の流し台又は洗面化粧台では、昇降姿勢補助具２に昇降部材４を設置することを特徴とする。
【００１３】
請求項３の流し台又は洗面化粧台では、Ｃ型レール１に挿入された移動台５付き昇降姿勢補助具２は、流し台又は洗面化粧台前面扉または引き出し８上端と天板下端の間隙１０をぬって左右に移動することで、流し台又は洗面化粧台前部任意の位置で、流し台又は洗面化粧台天板３より高位置で身体を支える支持部を設けることを特徴とする。
【００１４】
請求項４の流し台又は洗面化粧台では、昇降姿勢補助具２の幅は、身体腹部の幅以内とすることを特徴とする。
【００１５】
請求項５の流し台又は洗面化粧台では、移動台５付き昇降姿勢補助具２の収納場所を、流し台又は洗面化粧台前部の下方で水槽の前方に生じるデッドスペース１１とすることを特徴とする。
【００１６】
請求項６の流し台又は洗面化粧台では、移動台５付き昇降姿勢補助具２を使用時以外つまり使用人が使用場所を離れても立ち上がったままの状態を保つことができるよう転倒防止装置１７を設置することを特徴とする。
【００１８】
請求項７は、既設流し台又は洗面化粧台３の前部は、厚さの違う天板、硬軟な下地材等異なる形状を有するので、このような天板に取り付けるための可変固定部材２７を備えたものであり、具体的には、流し台又は洗面化粧台天板３前部の天板厚みを利用して開口部を下向きにしたＣ型レールを内蔵するためのＣ型レール内蔵縁部材２６と、上下に分離することにより厚さを調整してＣ型レール内蔵縁部材２６を流し台又は洗面化粧台天板３前部に取り付けることができる可変固定部材２７とを有し、Ｃ型レール内蔵縁部材２６に移動台５を挿入し、移動台５に取り付けた昇降姿勢補助具２の丁番６を介して、上方への回転を可能として保持した昇降姿勢補助具２を天板３上方に上げることによって、流し台又は洗面化粧台天板３より高位置に身体を支える支持部を設けるたことを特徴とする。
【００１９】
請求項８の流し台又は洗面化粧台では、流し台又は洗面化粧台天板３前部の裏面に、天板厚みを利用し開口部を下向きにして内蔵したＣ型レール１を設置し、Ｃ型レール１を介して左右に移動する移動台５に一体化された昇降姿勢補助具２の水平スライド部材３６を介して、昇降姿勢補助具２を手前に引き出し、昇降姿勢補助具２を天板上方へ引き上げることで、流し台又は洗面化粧台天板３より高位置に身体を支える支持部を設けることを特徴とする。
【００２０】
請求項９は、既設流し台又は洗面化粧台３の前部は、厚さの違う天板、硬軟な下地材等異なる形状を有するので、このような天板に取り付けるための可変固定部材２７を備えたものであり、具体的には、流し台又は洗面化粧台天板３前部の天板厚みを利用して開口部を下向きにしたＣ型レールを内蔵するためのＣ型レール内蔵縁部材２６と、上下に分離することにより厚さを調整してＣ型レール内蔵縁部材２６を流し台又は洗面化粧台天板前部に取り付けることができる可変固定部材２７とを有し、Ｃ型レール内蔵縁部材２６に移動台５を挿入し、移動台５に取り付けた持ち出し腕部材５０を介して、昇降姿勢補助具２を天板３上方へ引き上げることで、流し台又は洗面化粧台天板３より高位置に身体を支える支持部を設けることができることを特徴とする。
【発明の効果】
【００２１】
請求項１の発明では、流し台の前部に設置される昇降姿勢補助具であって、回転により流し台前部天板上面より上方に立ち上げることで、天板より高位置で身体を支持し、身体への負担を効率的に軽減して作業をより快適に行うことができる。既設の流し台天板上端の位置は床面から８０〜９０cmのものが主流であり、この位置で身体を支えることとなる。しかし、台所で作業を行う際、身長が１５０ｃｍである人の身体を支持する最適高は前述の、数式１を用いて算出すると、１２３．３８ｃｍであり、身長が１６０ｃｍの場合は１３０．４８ｃｍとなる。従って、既設の流し台の上端では、前述の算出値のいずれの場合においても支持位置最適高より低いため身体を支持する高さは十分とは言えない。
【００２２】
本発明による昇降姿勢補助具の高さを、一般の水槽の深さ及びデッドスペースの高さと等しい２０ｃｍと仮定すると、立ち上がった状態の天板上端から昇降姿勢補助具の上端までの高さは１６ｃｍとなり、既設の流し台天板よりも１６ｃｍ高位置に身体を支える支持部を設けることができる。
【００２３】
請求項２の発明では、昇降部材を上昇させ、支持部の高さをさらに８ｃｍ高くすることができる。よって請求項１の天板上端から昇降姿勢補助具の上端までの高さ１６ｃｍを加えると合計２４ｃｍ高くなる。従って、床面からの高さは、流し台高８０ｃｍの場合は１０４ｃｍ、流し台高９０ｃｍの場合１１４ｃｍとなり、支持位置最適高に近い値となる。それ故、腰痛など足腰に困難を抱えており、尚且つ、台所での作業を強いられる人々だけでなく、健康な人々にも身体への負担軽減の効果が得られる。また、昇降姿勢補助具、昇降部材の身体に接触する側は、クッション材などを用いて感触を快適にすることが可能である。  
【００２４】
請求項３の発明では、Ｃ型レールを介して移動する移動台付き昇降姿勢補助具は、立ち上がったままで流し台前面扉または引き出し上端と天板下端の間隙をぬって左右に移動することができ、扉または引き出しの開閉には支障が無い、又流し台の前部任意の位置で昇降姿勢補助具を停止させ、高位置での身体の支持を得ることができる。さらに、移動台は、移動台と一体化された昇降姿勢補助具を手で左右に動かすことが可能なので操作が簡単で便利である。
【００２５】
請求項４の発明では、昇降姿勢補助具の幅が身体腹部の幅以内であることで、身体と一体化した状態となり流し台使用時には、手の動きの邪魔にならずに作業ができる。また水などが衣類に飛び散ることを防ぐこともできる。
【００２６】
請求項５の発明では、昇降姿勢補助具を、流し台水槽前のデッドスペースに収納することにより、他の収納場所を減らすことなく、また従来の外観を損なうこともないので有効な空間利用である。
【００２７】
請求項６の発明では、転倒防止装置を昇降姿勢補助具に設置することによって、一度立ち上げると収納するまで立ち上がったままの状態を保持することができるので使用者は自由に使用場所を離れ、再度使用状態に戻ることができるので便利である。
【００２９】
本発明による昇降姿勢補助具の高さを、一般の水槽の深さ及びデッドスペースの高さと等しい２０ｃｍと仮定すると、立ち上がった状態の天板上端から昇降姿勢補助具の上端までの高さは１６ｃｍとなり、既設の洗面化粧台天板よりも１６ｃｍ高位置に身体を支える支持部を設けることができる。
【００３０】
請求項７の発明では、既設流し台又は洗面化粧台に可変固定部材を介して昇降姿勢補助具を取り付けることができる。また、既設扉又は引き出しの上端と、昇降姿勢補助具の丁番下端に、間隔を設けていることで、昇降姿勢補助具使用時の既設扉又は引き出しの開閉を可能にしている。
【００３１】
請求項８の発明では、流し台又は洗面化粧台の前部に設置される昇降姿勢補助具であって、スライドによって流し台又は洗面化粧台天板上面より上方に立ち上げることで、天板より高位置で身体を支持し、身体への負担を効率的に軽減して作業をより快適に行うことができる。既設流し台天板上端の位置は床面から８０〜９０ｃｍ、既設の洗面化粧台天板上端の位置は床面から７２ｃｍであり、この位置で身体を支えることとなる。しかし、台所で作業を行う際、身体が１５０ｃｍである人の身体を支持する最適高は前述の、数式１を用いて算出すると、１２３．３８ｃｍであり、身体が１６０ｃｍの場合は１３０．４８ｃｍとなる。従って、既設流し台又は洗面化粧台の上端では、前述の算出値のいずれの場合においても支持位置最適高より低いため身体を支持する高さは十分とは言えない。
【００３２】
本発明による昇降姿勢補助具の高さを、一般の水槽の深さ及びデッドスペースの高さと等しい２０ｃｍと仮定すると、立ち上がった状態の天板上端から昇降姿勢補助具の上端までの高さは１６ｃｍとなり、既設の流し台天板よりも１６ｃｍ高位置に身体を支える支持部を設けることができる。
【００３３】
請求項９の発明では、既設流し台又は洗面化粧台に可変固定部材を介して昇降姿勢補助具を取り付けることができる。また既設扉又は引き出しの上端と、昇降姿勢補助具の蝶番下端に、間隔を設けていることで、昇降姿勢補助具使用時の既設扉又は引き出しの開閉を可能にしている。
【発明を実施するための最良の形態】
【００３４】
食材や食器の洗浄叉は洗顔、洗髪その他の作業を行う際に、図１、図２に示すような本発明による昇降姿勢補助具を用いると、使用者の身体が従来より高い位置で支えられ、支持部分に荷重を分散させることによって足腰にかかる負担を軽減でき、作業が快適となる。
【００３５】
本発明では、前述のように流し台、洗面化粧台天板上面より２４ｃｍ高い身体支持点が得られ８０ｃｍの流し台高で床面から１０４ｃｍ。７２ｃｍの洗面化粧台高で床面から９６ｃｍとなる。ところで、使用する人の身長を１５０ｃｍとすると支持位置最適高は数式１により１２３．３８ｃｍとなるから、安全性や使い勝手を考慮した上で身体支持点をさらに高位置にすることが好ましい。昇降姿勢補助具は、手を用いて収納位置から回転又はスライドさせて立ち上げ使用位置へ移動でき、また逆の操作を行うだけで収納できる簡便さを有している。そのことに関連して収納時での確実な固定と立ち上げ時での転倒防止装置が必要である。
【００３６】
また使用する際のこの装置の身体支持部にかかる荷重を考慮し、長期にわたる繰り返しの使用に耐えうる部材を選定し用いることによって安全性が増進する。またこの装置と身体との接触部分は使用者の腹部周辺であり、接触するときの感覚が快適であるよう柔らかく耐水性のあるクッション材が好ましい。さらにクッション部分は、温暖に保つ工夫を導入することで、身体への快適性が高まる。また移動台付き昇降姿勢補助具は、立ち上がったままで左右に自由に移動できるので、使用者は流し台の任意の位置でこの装置を使用できる。従って停止位置で容易に確実に固定でき、尚且つ手で自由に簡単に左右に移動できることが望ましい。
【００３７】
既に使用中の流し台、洗面化粧台にパーツとして取り付けることができるので、新規の流し台、洗面化粧台に取り替える必要がなく便利であり、広汎な使用が期待される。また高齢化社会の今日、老若男女を問わず多数の人が簡単に使用することができ、身体への負担の軽減に役立つ。
【実施例】
【００３８】
以下、本発明の実施例を示し、図面に即して詳しく説明する。
【００３９】
図１は、本発明を設置した、収納時及び使用時の流し台全体の斜視図である。点線はＣ型レール１を示す。昇降姿勢補助具２は、流し台の水槽９側面、目隠し板１２と流し台前面扉８に挟まれた斜線で示されたデッドスペース１１（図３参照）に収納されている。この昇降姿勢補助具２を回転させ流し台天板３前部の上方に立ち上げると昇降姿勢補助具２ａに示される状態となる。昇降姿勢補助具２ａは左右の方向に移動し、停止させることができる。昇降姿勢補助具２ｂは左方向に移動し使用者にとって必要な位置で停止させ、かつ昇降部材４を上方に引き上げた例を示す。
【００４０】
昇降姿勢補助具２、昇降姿勢補助具２ａ、昇降姿勢補助具２ｂは同一物であるが使用状態の違いを示すために、２、２ａ、２ｂの文字を用いた。また、Ｃ型レール１は流し台前面右端の引き出し８付近部分を取り外すことができ、移動台５付き昇降姿勢補助具２もＣ型レール１を取り外した場所に移動して取り外すことができる。
【００４１】
図２は、本発明を設置した、収納時及び使用時の洗面化粧台全体の斜視図である。点線はＣ型レール１を示す。昇降姿勢補助具２は、洗面化粧台の水槽９側面、目隠し板１２と洗面化粧台前面扉８に挟まれた斜線で示されたデッドスペース１１（図３参照）に収納されている。この昇降姿勢補助具２を回転させ洗面化粧台天板３前部の上方に立ち上げると昇降姿勢補助具２ａに示される状態となる。昇降姿勢補助具２ａは左右の方向に移動し、停止させることができる。昇降姿勢補助具２ｂは左方向に移動し使用者にとって必要な位置で停止させ、かつ昇降部材４を上方に引き上げた例を示す。
【００４２】
昇降姿勢補助具２、昇降姿勢補助具２ａ、昇降姿勢補助具２ｂは同一物であるが使用状態の違いを示すために、２、２ａ、２ｂの文字を用いた。また、Ｃ型レール１は洗面化粧台前面右端の扉８付近部分を取り外すことができ、移動台５付き昇降姿勢補助具２もＣ型レール１を取り外した場所に移動して取り外すことができる。
【００４３】
図３は、収納時及び使用時の移動台５付き回転による昇降姿勢補助具２の断面図である。流し台天板３前部の厚みを利用して設置したＣ型レール１に移動台５が挿入されている。移動台５に一体化された丁番６を介して昇降姿勢補助具２が設置されている。この昇降姿勢補助具２は、前述のデッドスペース１１に磁石１３などを用いた状態で垂直に収納されている。昇降姿勢補助具２は丁番軸７を回転の中心として回転させると、流し台天板３の上面より上方に立ち上がった昇降姿勢補助具２ａとなる。
【００４４】
さらに図３には、昇降姿勢補助具２ａが立ち上がった状態で、昇降姿勢補助具２ａに設置した昇降部材４を上方に引き上げた状態も示している。昇降部材４は、止め棒掛りカギ込み１４及び、止め棒１５、止め棒受け穴１６を用いて任意の高さで停止できる。また昇降部材４には昇降部材脱落引き抜け止具２５（図７参照）を設置している。但し昇降部材の昇降装置の構造については本昇降装置に限定されるものではない。
【００４５】
図４には、流し台前面扉８上端と流し台天板３下端の間にある間隙１０が示されている。この発明の昇降姿勢補助具２と移動台５を一体化させている丁番６は、この間隙１０を移動するので、流し台前面扉または引き出し８などに邪魔されることなく、設置したＣ型レール１を介して左右に自由に移動ができる。昇降姿勢補助具２を立ち上げると、転倒防止装置１７（図７参照）の重心が支点の手前にあることにより、ツメ部１８は、移動台５側の丁番６の丁番カギ込み部分１９に、自動的に掛かり施錠状態となり、昇降姿勢補助具２が倒れることを防ぐことができる。また転倒防止装置１７の前部端点を上方に軽く指で押すことによって、丁番カギ込み部分１９よりツメ部１８が離れ、転倒防止装置１７を解除でき、昇降姿勢補助具２を収納できる。
【００４６】
図５の、昇降姿勢補助具２ａは、使用者が流し台で作業をしている際の流し台の断面図及び人体使用図であり、図中のＨ（単位はｃｍ）は床面から流し台上端までの高さ、Ｈ１（単位はｃｍ）は床面から身体を支える支持部材上端までの高さ、Ｈ２は前述の数式１における支持位置最適高である。このＨ１を支持位置最適高Ｈ２に近付けるに従い、身体にかかる負担の軽減が得られる。
【００４７】
図６は、既設の流し台断面図及び人体使用図である。この図は、使用者が既設の流し台で作業をする姿勢を示す図であり、身体を支える支持位置が低いため、足首、膝、腰を折り曲げる必要がある状態を示している。水槽９側面、目隠し板１２と流し台前面扉８に挟まれた斜線で示すデッドスペース１１を昇降姿勢補助具２の収納場所として使用することによって、他の収納場所を減少させることなくデッドスペース１１の有効利用が図られる。
【００４８】
図７は、使用時の移動台５付き回転による昇降姿勢補助具２ａの一部断面図及び斜視図、部分拡大斜視図である。昇降姿勢補助具２を手で押すだけで左右に移動させ、使用人が必要とする位置で停止させ使用することができる。また転倒防止装置１７は、転倒防止装置止め金具２１をビス止め２０で昇降姿勢補助具２aの丁番６巾の中央部に取り付け、転倒防止装置止め金具２１にある軸受け穴２２に転倒防止装置１７の支点軸２３を嵌め込む。これにより、転倒防止装置１７が作動可能となる。但し、転倒防止装置の構造については、本転倒防止装置に限定されるものではない。また昇降部材４には昇降部材脱落引き抜け止具２５を設置している。
【００４９】
図８は、既設流し台、洗面化粧台天板３前部に取り付けた移動台５付き回転による昇降姿勢補助具２、２ａの一部断面図である。既設流し台天板３前部は、厚さの違う天板、硬軟な下地材等異なる形状を有するので、どのような天板にも取り付けが可能である可変固定部材２７、を用いる。既設流し台天板３前部に空けた穴５１に、上下に分離した可変固定部材２７に付随した下地補強支柱５２を、上下から差し込み天板の厚さと同等の厚さになるように、厚さ１ｍｍ程度の支柱調整パッキン５３、可変固定調整パッキン５４を用いて、可変固定部材２７の厚さを調整してボルト２９で固定する。可変固定部材２７にはスベリ止め材３３を貼付けている。下地補強支柱５２には軟性な下地等による天板厚みの潰れ、可変固定部材２７が手前に抜けることを防止する役目がある。
【００５０】
可変固定部材２７にはクサビ凹部３０が（図１１参照）あり、Ｃ型レール１内蔵縁部材２６に付随したクサビ凸部３１（図１１参照）を可変固定部材２７のクサビ凹部３０に嵌め込む。可変固定部材２７に取り付いたＣ型レール１内蔵縁部材２６には、上部より荷重が掛かるので可変固定部材２７からの、下がりを止めるためにボルト２９で固定する。Ｃ型レール１内蔵縁部材２６のＣ型レール１に、移動台５付き昇降姿勢補助具２の移動台５を挿入して組み合わされたパーツである。また昇降姿勢補助具２ａの丁番６下端と既設扉８上端に間隔３２を設けることで昇降姿勢補助具２ａ使用時の、既設扉、引き出し８の開閉を可能にしている。
【００５１】
さらに図８には、使用時の昇降姿勢補助具２ａの止め棒受け穴１６はハート形である。止め棒１５を、ハート形左上部に指で押せば解除状態になり、昇降部材４を引き上げると自動的に、止め棒１５はハート形左上部にせり出され、また元の位置に戻り、止め棒掛りカギ込み１４に、止め棒１５が掛かって施錠状態になり、施錠、解除を繰り返すことで高さを設定できる。また昇降部材４を低くする場合は、止め棒１５をハート形左上部に指で押せば解除状態になり昇降部材４を元の低い位置に戻すことができる。収納時には逆の止め棒掛りカギ込み１４に、止め棒１５が掛かって施錠状態になる。防止策として、昇降部材脱落防止及び引き抜け防止具２５を設置している。
【００５２】
図９は、収納時及び使用時の移動台５付きスライドによる昇降姿勢補助具２の一部断面図及び斜視図、部分拡大斜視図である。移動台５と一体化した水平スライド部材３６には、Ａピン４４、Ｂピン４５、連結ワイヤー４６、バネ４７が内蔵され（図１０参照）、垂直材３７には、垂直固定クサビ凸部３８、締め付け具３９を設置。姿勢補助具２の縦枠には、縦溝４０、縦枠クサビ凹部４１、深溝解除部分４２、浅溝施錠部分４３、止め棒受け穴１６、止め棒１５が設置され、また昇降部材４には、縦溝掛り部４８、止め棒掛りカギ込み１４、クッション材２４、引き手部分４９、止め棒操作開口部が設置されている。以上、三つのブロックで構成された、移動台５付きスライドによる昇降姿勢補助具２がデッドスペース１１に収納されている。    
【００５３】
収納時の、昇降部材４の、引き手部分４９で、水平スライド部材３６を介して、アの位置３４から、イの位置３５（図１０参照）まで引き出す。水平スライド部材３６の外縦枠側に引き抜き過ぎ防止の、凸部５５がある。次に垂直材３７、垂直固定クサビ凸部３８、昇降姿勢補助具２ａの縦枠クサビ凹部４１を介して、昇降姿勢補助具２ａを上方に引き上げ、締め付け具３９を用いて任意の高さで昇降姿勢補助具２ａ固定する。昇降姿勢補助具２ａを上方に引き上げることで、水平スライド部材３６に内蔵された、バネ４７の反力で飛び出ていた解除状態時の、Ａピン４４が位置していた、深溝解除部分４２が上方に上がり、浅溝施錠部分４３に移動することで、Ａピン４４が引っ込み、連結ワイヤー４６を介して、水平スライド部材３６の外部に、Ｂピン４５が突き出ることで施錠状態になり、イの位置３５から、アの位置３４（図１０参照）に戻ることはない。
【００５４】
さらに図９には、昇降姿勢補助具２ａの、止め棒受け穴１６は斜め楕円形である。昇降部材４を引き上げると自動的に、止め棒１５は斜め楕円形左上部にせり出され、また元の位置に戻り、止め棒掛りカギ込み１４に、止め棒１５が掛かって施錠状態になり、施錠、解除を繰り返すことで高さを設定できる。また昇降部材４を低くする場合は、止め棒１５を斜め楕円形左上部に、止め棒操作開口部５７から指で押せば解除状態になり、昇降部材４は元の低い位置に戻すことができる。姿勢補助具２縦枠内の、縦溝４０に、縦溝掛り部４８が挿入されていることで昇降部材４は、外れることはない。
【００５５】
図１０は、使用時の移動台５付き昇降姿勢補助具２の水平スライド部材３６Ａ〜Ａ断面図である。水平スライド部材３６の外縦枠側に引き抜き過ぎ防止の、凸部５５を設け、内縦枠側には、切り込み部分５６を設けることで、水平スライド部材３６の先端部材と垂直材３７を一体化させている持ち出し部分を、アの位置３４に納めることができる。昇降姿勢補助具２ａを上方に引き上げることで水平スライド部材３６先端部材に設置した、バネ４７の反力で飛び出ていた解除状態時の、Ａピン４４が位置していた、深溝解除部分４２（図９参照）が上方に上がり、浅溝施錠部分４３（図９参照）に移動することで、Ａピン４４が引っ込み、連結ワイヤー４６を介して、水平スライド部材３６の外部に、Ｂピン４５がとび出ることで施錠状態になり、イの位置３５から、アの位置３４に戻ることはない。
【００５６】
図１１は、既設の流し台、洗面化粧台３に取り付けた移動台５付きスライドによる昇降姿勢補助具２ａの一部断面図及び斜視図、部分拡大斜視図である。既設流し台天板３前部は、厚さの違う天板、硬軟な下地材等異なる形状を有するので、どのような天板にも取り付けが可能である可変固定部材２７、を用いる。既設流し台天板３前部に空けた穴５１に、上下に分離した可変固定部材２７に付随した下地補強支柱５２を、上下から差し込み天板の厚さと同等の厚さになるように、厚さ１ｍｍ程度の支柱調整パッキン５３、可変固定調整パッキン５４を用いて、可変固定部材２７の厚さを調整してボルト２９で固定する。可変固定部材２７にはスベリ止め材３３を貼付けている。下地補強支柱５２には軟性な下地等による天板厚みの潰れ、可変固定部材２７が手前に抜けることを防止する役目がある。
【００５７】
可変固定部材２７にはクサビ凹部３０があり、Ｃ型レール１内蔵縁部材２６に付随したクサビ凸部３１を可変固定部材２７のクサビ凹部３０に嵌め込む。可変固定部材２７に取り付いたＣ型レール１内蔵縁部材２６には、上部より荷重が掛かるので可変固定部材２７からの、下がりを止めるためにボルト２９で固定する。Ｃ型レール１内蔵縁部材２６のＣ型レール１に、移動台５付き昇降姿勢補助具２の移動台５を挿入して組み合わされたパーツである。また昇降姿勢補助具２ａ下端と既設扉８上端に間隔３２を設けることで昇降姿勢補助具２ａ使用時の、既設扉、引き出し８の開閉を可能にしている。
【００５８】
Ｃ型レール１内蔵縁部材２６の、Ｃ型レール１に挿入された移動台５と一体化された、持ち出し腕部材５０、垂直材３７、垂直固定クサビ凸部３８、昇降姿勢補助具２ａの縦枠クサビ凹部４１を介して昇降姿勢補助具２ａを上方に引き上げ、締め付け具３９を用いて任意の高さで昇降姿勢補助具２ａを固定する。
【００５９】
さらに図１１には、昇降姿勢補助具２ａの、止め棒受け穴１６は斜め楕円形である。昇降部材４を引き上げると自動的に、止め棒１５は斜め楕円形左上部にせり出され、また元の位置に戻り、止め棒掛りカギ込み１４に、止め棒１５が掛かって施錠状態になり、施錠、解除を繰り返すことで高さを設定できる。また昇降部材４を低くする場合は、止め棒１５を斜め楕円形左上部に、止め棒操作開口部５７から指で押せば解除状態になり、昇降部材４は元の低い位置に戻すことができる。叉姿勢補助具２縦枠内の、縦溝４０に、縦溝掛り部４８が挿入されていることで昇降部材４は、外れることはない。
【図面の簡単な説明】
【００６０】
【図１】本発明の実施例、収納時及び使用時の流し台全体の斜視図である。
【図２】本発明の実施例、収納時及び使用時の洗面化粧台全体の斜視図である。
【図３】同上の収納時及び使用時の移動台付き回転による昇降姿勢補助具の断面図である。
【図４】同上の一部断面図である。
【図５】同上の使用時の流し台、移動台付き昇降姿勢補助具の断面図及び人体使用図である。
【図６】既設の流し台の断面図及び人体使用図である。
【図７】本発明の実施例、使用時の移動台付き回転による昇降姿勢補助具の一部断面図及び斜視図、部分拡大斜視図である。
【図８】本発明の既設への実施例、収納時及び使用時の移動台付き回転による昇降姿勢補助具の一部断面図である。
【図９】本発明の実施例、収納時及び使用時の移動台付きスライドによる昇降姿勢補助具の一部断面図及び斜視図、部分拡大斜視図である。
【図１０】同上の水平スライド部材Ａ〜Ａ断面図である。
【図１１】本発明の既設への実施例、収納時及び使用時の移動台付きスライドによる昇降姿勢補助具の一部断面図及び斜視図、部分拡大斜視図である。
【符号の説明】
【００６１】
１  Ｃ型レール
２  昇降姿勢補助具
３  流し台天板または洗面化粧台天板
４  昇降部材
５  移動台
６  丁番
７  丁番軸
８  扉または引き出し
９  水槽
１０  間隙
１１  デッドスペース
１２  目隠し板
１３  磁石
１４  止め棒掛りカギ込み
１５  止め棒
１６  止め棒受け穴
１７  転倒防止装置
１８  ツメ部
１９  丁番カギ込み部分
２０  ビス止め
２１  転倒防止装置止め金具
２２  軸受け穴
２３  支点軸
２４  クッション材
２５  昇降部材脱落引き抜け止具
２６  Ｃ型レール内蔵縁部材
２７  可変固定部材
２８  厚みの違い
２９  ボルト
３０  クサビ凹部
３１  クサビ凸部
３２  間隔
３３  スベリ止め材
３４  アの位置
３５  イの位置
３６  水平スライド部材
３７  垂直材
３８  垂直固定クサビ凸部
３９  締め付け具
４０  縦溝
４１  縦枠クサビ凹部
４２  深溝解除部分
４３  浅溝施錠部分
４４  Ａピン
４５  Ｂピン
４６  連結ワイヤー
４７  バネ
４８  縦溝掛り部
４９  引き手部分
５０  持ち出し腕部材
５１  穴
５２  下地補強支柱
５３  支柱調整パッキン
５４  可変固定調整パッキン
５５  凸部
５６  切り込み部分
５７  止め棒操作開口部
５８  化粧キャップ
【要約】
【課題】
新規、既設の流し台、洗面化粧台での作業時の姿勢補助具として、身体への負担を軽減すると共に、取り出し、収納が簡便で使い易い新規な装置を設置した流し台、洗面化粧台を提供する。
【解決手段】
新規流し台、洗面化粧台天板３の裏面に、天板厚みを利用してＣ型レール１を設置し、さらにＣ型レール１を介して移動する移動台５付き昇降姿勢補助具２および昇降姿勢補助具２に昇降部材４を設置する。水槽９前のデッドスペース１１に収納された移動台５付き昇降姿勢補助具２を回転又はスライドにより、流し台前部天板３の上方に立ち上げることで流し台、洗面化粧台天板３より高位置に身体を支える支持部を設け、さらに昇降部材４を上昇させることでより高位置に支持部を移すことができ、且つ左右に移動することを可能にした流し台、洗面化粧台である。
【選択図】    図１
【図１】
0003701960.tif 000002
【図２】
0003701960.tif 000003
【図３】
0003701960.tif 000004
【図４】
0003701960.tif 000005
【図５】
0003701960.tif 000006
【図６】
0003701960.tif 000007
【図７】
0003701960.tif 000008
【図８】
0003701960.tif 000009
【図９】
0003701960.tif 000010
【図１０】
0003701960.tif 000011
【図１１】
0003701960.tif 000012